(57)【要約】【課題】集塵容器に堆積した塵埃を廃棄するとき、使用者の煩わしさを解消することができる集塵装置を備えた電気掃除機を提供する。【解決手段】周面に気流の流入口６１３が設けられた集塵容器６１と、集塵容器６１と同軸に配され、気流の流出口６３０を周面に開口する内筒６３と、内筒６３の下部に着脱可能に連結され、集塵容器６１の上部と下部とを仕切る仕切部材６４と、仕切部材６４に取り付けられ内筒６３に外嵌するかご部６５とを備え、内筒６３の枠部６３３とかご部６５の支柱部６５３とが内筒６３の径方向に重なるように内筒６３と仕切部材６４とを連結する電気掃除機Ａ。【選択図】図３
2014036683.tif 000002
【特許請求の範囲】
【請求項１】
上面に開口面を有する断面円形の有底筒状に形成されるとともに周面に気流の流入口が設けられた集塵容器と、
前記集塵容器と同軸に配され、気流の流出口を周面に開口する内筒と、
前記内筒の下部に着脱可能に連結され、前記集塵容器の上部と下部とを仕切る仕切部材と、
前記仕切部材に取り付けられ前記内筒に外嵌するかご部とを備え、前記流入口から前記集塵容器に流入した気流を旋回して塵埃を前記集塵容器内に堆積させるサイクロン式の集塵装置を設けた電気掃除機であって、
前記内筒は、軸方向に延びるとともに、周方向に配列された枠部を備えており、
前記かご部は前記軸方向に延びるとともに、周方向に配列された支柱部を備えており、
前記枠部と前記支柱部とが前記内筒の径方向に重なるように前記内筒と前記仕切部材とを連結する連結手段を備えていることを特徴とする電気掃除機。
【請求項２】
前記連結手段は、前記内筒に配置された係止部と、前記仕切部材に配置された係合部とを備えており、
前記係止部と前記係合部とを係合することで、前記内筒と前記仕切部材とが連結される請求項１に記載の電気掃除機。
【請求項３】
前記係止部は前記内筒の下面より突出した凸部と、前記凸部の先端から径方向外側に延びる係止爪とを有し、
前記係合部は前記仕切部材に形成された円筒形状のリブの内周面より内側に延びるストッパ部を有し、
前記内筒と前記仕切部材とを相対的に回転させることで、前記係止部と前記係合部とが係合する請求項２に記載の電気掃除機。
【請求項４】
前記係止部は前記内筒の下面より突出した筒部を有し、
前記係合部は前記仕切部材の下面より下方に突設された突出部の内周面に形成されており、
前記筒部の外周面及び前記係合部には、凸部又は凹部のいずれかが前記筒部を前記係合部に挿入したとき、前記凸部と前記凹部とが係合するように形成されている請求項２に記載の電気掃除機。
【発明の詳細な説明】
【技術分野】
【０００１】
本発明は、サイクロン式の集塵装置を備えた電気掃除機に関する。
【背景技術】
【０００２】
電気掃除機は、本体部の内部に、空気を吸い込むための気流を発生する電動送風機と、電動送風機の前方に着脱可能に設置されたサイクロン式集塵装置（単に集塵装置と称する場合がある）とを備えている。
【０００３】
集塵装置は、上面に開口面を有する断面円形状の集塵容器を備えている。また、集塵容器の上部には、集塵容器の内周面の周接線方向に空気が流入するように流入口が形成されている。そして、集塵容器の上部には、集塵容器の開口面を覆う集塵フィルターがフィルター保持部を介して取り付けられている。さらに、フィルター保持部の上部には、電気掃除機の外装の一部を形成するカバー部を設けている。カバー部は電動送風機に連通する集塵装置排気口を後端面に開口する。
【０００４】
フィルター保持部の下面には、周面に気流の流出口を有し、内部の空間が集塵フィルターに連通した内筒が、集塵容器と同軸となるように配される。内筒の流出口には、小さな隙間（孔）が形成されたメッシュ状のフィルター（メッシュフィルター）が取り付けられている。
【０００５】
内筒の下端には集塵容器の内面との間に気流路を形成し、集塵容器内を上下に仕切る仕切部材が着脱可能に取り付けられる。仕切部材は径方向に延びる円板状の円板部と、円板部の周縁に連設された円筒状の筒状部とを有している。筒状部は外周面を円筒面に形成して集塵容器の内周面と対向する。
【０００６】
集塵装置では、カバー部、フィルター保持部、内筒、仕切部材及び集塵容器を一体に電気掃除機の本体部から着脱できる。そして、カバー部、フィルター保持部、内筒及び仕切部材が集塵容器に対して着脱できるようになっている。
【０００７】
上記構成の電気掃除機において、電動送風機の駆動によって塵埃が空気とともに流入口から集塵装置の集塵容器内に流入する。集塵容器に流入した空気は集塵容器内で旋回し、遠心力によって大きい塵埃が分離されて集塵容器の底部に堆積する。
【０００８】
このとき、仕切部材の円板部及び円板部の周縁部に連設された筒状部によって、集塵容器の底部に堆積した塵埃の集塵容器上部への逆流が抑制される。大きい塵埃が除去された気流は流出口を介して内筒内に流入する。流出口には、メッシュフィルターが配置されており、旋回気流で分離されなかった塵埃のうち、小さい塵埃、毛髪、糸くず等がメッシュフィルターで捕集される。
【０００９】
そして、流出口から内筒に流れた気流は、集塵フィルターを通過し、集塵装置排気口から集塵装置の外部に流出する。気流が集塵フィルターを通過するとき、メッシュフィルターで捕集できなかった細かい塵が集塵フィルターによって捕集される。集塵装置から流出した空気は電動送風機を通過して外部に排気される。
【００１０】
そして、集塵装置を電気掃除機の本体部から取り外し、更に集塵容器を脱着して集塵容器に堆積した塵埃を廃棄することができる（例えば、特開２００２−３１５７０１号公報等参照）。
【先行技術文献】
【特許文献】
【００１１】
【特許文献１】特開２００２−３１５７０１号公報
【発明の概要】
【発明が解決しようとする課題】
【００１２】
サイクロン式集塵装置では、集塵容器内で旋回気流を発生させ、その遠心力で塵埃を分離する構成であるが、毛髪、糸くず、紐等繊維状の軽くて長い塵埃は、旋回気流では分離されにくい。このような軽くて長い塵埃は、内筒の外周面に巻き付きやすい。
【００１３】
そして、この手の繊維状の塵埃は、内筒の外周面に巻きつくと、旋回気流で内筒から外れることがほとんどなく、集塵容器に堆積した塵埃を廃棄するとき、使用者が取り除く必要があり煩わしい。また、内筒に巻き付いた繊維状の塵埃は、絡み付いている場合が多く、引きはがしにくく、はさみ等で切断して取り除く場合が多いが、そのときに、メッシュフィルターを傷つけないように作業するのも手間と時間がかかる。
【００１４】
本発明は、集塵容器に堆積した塵埃を廃棄するとき、使用者の煩わしさを解消することができる集塵装置を備えた電気掃除機を提供することを目的とする。
【課題を解決するための手段】
【００１５】
上記目的を達成するために本発明は、上面に開口面を有する断面円形の有底筒状に形成されるとともに周面に気流の流入口が設けられた集塵容器と、前記集塵容器と同軸に配され、気流の流出口を周面に開口する内筒と、前記内筒の下部に着脱可能に連結され、前記集塵容器の上部と下部とを仕切る仕切部材と、前記仕切部材に取り付けられ前記内筒に外嵌するかご部とを備え、前記流入口から前記集塵容器に流入した気流を旋回して塵埃を前記集塵容器内に堆積させるサイクロン式の集塵装置を設けた電気掃除機であって、前記内筒は、軸方向に延びるとともに、周方向に配列された枠部を備えており、前記かご部は前記軸方向に延びるとともに、周方向に配列された支柱部を備えており、前記枠部と前記支柱部とが前記内筒の径方向に重なるように前記内筒と前記仕切部材とを連結する連結手段を備えていることを特徴とする電気掃除機を提供する。
【００１６】
この構成によると、前記かご部を備えていることで、毛髪、糸くず、紐等の繊維状の塵埃が内筒に絡み付くのを抑制し、前記内筒に取り付けられたフィルターの清掃を容易にしている。
【００１７】
また、前記内筒と前記仕切部材とを連結したとき、前記内筒の枠部と前記かご部の支柱部とが内筒の径方向に重なる構成となっているため、前記内筒と前記かご部との間に隙間ができにくい。これにより、前記内筒と前記かご部の間に前記繊維状の塵埃が挟まり、前記繊維状の塵埃の廃棄が困難になるのを抑制することができる。これにより、前記集塵容器に堆積した塵埃の廃棄時の手間を減らし、塵埃を廃棄するときの使用者の煩わしさを低減することが可能である。
【００１８】
上記構成において、前記連結手段は、前記内筒に配置された係止部と、前記仕切部材に配置された係合部とを備えており、前記係止部と前記係合部とを係合することで、前記内筒と前記仕切部材とが連結されるものであってもよい。
【００１９】
上記構成において、前記係止部は前記内筒の下面より突出した凸部と、前記凸部の先端から径方向外側に延びる係止爪とを有し、前記係合部は前記仕切部材に形成された円筒形状のリブの内周面より内側に延びるストッパ部を有し、前記内筒と前記仕切部材とを相対的に回転させることで、前記係止部と前記係合部とが係合するものであってもよい。
【００２０】
上記構成において、前記係止部は前記内筒の下面より突出した筒部を有し、前記係合部は前記仕切部材の下面より下方に突設された突出部の内周面に形成されており、前記筒部の外周面及び前記係合部には、凸部又は凹部のいずれかが前記筒部を前記係合部に挿入したとき、前記凸部と前記凹部とが係合するように形成されていてもよい。
【発明の効果】
【００２１】
本発明によると、集塵容器に堆積した塵埃を廃棄するとき、使用者の煩わしさを解消することができる集塵装置を備えた電気掃除機を提供することができる。
【図面の簡単な説明】
【００２２】
【図１】本発明にかかる電気掃除機の一例を示す斜視図である。
【図２】図１に示す電気掃除機に用いられる集塵装置の側断面図である。
【図３】内筒と仕切部材とを示す斜視図である。
【図４】内筒と仕切部材とを示す分解斜視図である。
【図５】仕切部材の断面図である。
【図６】内筒の下から見た斜視図である。
【図７】かご部を取り外した状態の仕切部材の斜視図である。
【図８】集塵装置に用いられる内筒及び仕切部材の分解斜視図である。
【発明を実施するための形態】
【００２３】
以下に本発明の実施形態を図面を参照して説明する。図１は本発明にかかる電気掃除機の一例を示す斜視図であり、図２は図１に示す電気掃除機に用いられる集塵装置の側断面図である。図１、図２に示すように、電気掃除機Ａは、本体部１と、接続ホース２と、延長パイプ３と、吸込口体４と、電源コード５と、集塵装置６と、電動送風機（不図示）とを備えている。
【００２４】
本体部１の内部には、集塵装置６と、電動送風機（不図示）とが内蔵されている。また、本体部１の背面には電源コード５が引出可能及び収納可能に設けられている。そして、この電源コード５の先端に電源プラグ５１が取り付けられており、電源プラグ５１を商用電源のコンセントに差し込むことで、電気掃除機Ａ（主に、電動送風機）に電力供給される。
【００２５】
本体部１の前面には接続口１０１が形成されており、接続口１０１に可撓性の接続ホース２が接続され、接続ホース２の先端に延長パイプ３が接続される。延長パイプ３の先端には床面に対峙する吸込口（不図示）を有した吸込口体４が設けられる。また、延長パイプ３にはパイプ把持部３１及び操作部３２が設けられる。使用者が操作部３２を操作することで、電気掃除機Ａが動作を開始（停止）する。そして、電気掃除機Ａが動作している状態で、使用者が把持部３１を把持して吸込口体４を移動させることで、電気掃除機Ａの掃除運転が実行される。
【００２６】
本体部１は本体カバー１０により覆われている。本体部１の前部に集塵装置６が、後部に電動送風機が配されている。本体カバー１０の前面には接続ホース２（図１参照）を接続するための接続口１０１が開口し、背面には排気口１０２が開口する。本体部１の内部の電動送風機の前方には集塵室が設けられ、集塵室内にはサイクロン式の集塵装置６が着脱可能に配置される。詳細を後述するように集塵装置６の集塵容器６１は透明樹脂で形成されており、本体カバー１０には、集塵容器６１内を視認するための窓部１０３が形成されている。
【００２７】
図２に示すように、集塵装置６は接続口１０１に連通する流入口６１３及び塵埃を除去した気流が流出する集塵装置排気口６０２を備えている。集塵装置排気口６０２と電動送風機との間はダクトにより連結される。
【００２８】
図２に示すように、集塵装置６の上部には本体カバー１０に連続し、本体部１の外装の一部を形成するカバー部６０が配される。集塵装置６はカバー部６０、集塵容器６１、フィルター保持部６２、内筒６３及び仕切部材６４を有している。カバー部６０、フィルター保持部６２、内筒６３及び仕切部材６４は一体化されており、これらに対して集塵容器６１が着脱可能に取り付けられている。
【００２９】
集塵容器６１は透明樹脂で形成されており、内部を観察できるようになっている。集塵容器６１は、上部開口６１１を備えた有底筒状の部材である。集塵容器６１の上部の周面には、接続口１０１（図１参照）に連通し、接続ホース２からの気流が流入する流入口６１３が形成されている。集塵容器６１の内部には、流入口６１３を介し、内周面の周線方向に気流が流入し、集塵容器６１の内部で旋回気流が形成される。すなわち、流入口６１３は、集塵容器６１の内部に旋回気流が形成されるように形成されている。これにより、サイクロン式の集塵装置が形成される。
【００３０】
フィルター保持部６２は平面視円形のプリーツフィルター等により形成された集塵フィルター６２１を保持する。フィルター保持部６２の下面には内筒６３が突出するように取り付けられている。
【００３１】
集塵フィルター６２１は、内筒６３に取り付けられたメッシュフィルターで捕集できない細かい塵埃を捕集するためのフィルターである。そして、フィルター保持部６２には、集塵フィルター６２１の目詰まりを防止するため、集塵フィルター６２１に溜まった塵埃を落とすための除塵機構（不図示）が取り付けられている。除塵機構は、フィルター保持部６２の周方向に沿って移動するときに、フィルター保持部６２の集塵フィルター６２１に衝撃を与え、溜まった塵埃を下部に落とす。
【００３２】
内筒６３は集塵容器６１と同軸に配される円筒形状の部材であり、周面に気流の流出口６３０が設けられる。流出口６３０は、本体部１の背面に備えている排気口１０２（図１参照）に連通している。また、内筒６３は仕切部材６４に取り付けられた後述のかご部６５に外嵌されている。また、内筒６３はフィルター保持部６２と連通されている。
【００３３】
仕切部材６４は集塵容器６１の内面との間に気流路を形成して集塵容器６１内を上下に仕切る部材であり、内筒６３と接続されている。仕切部材６４は円板部６４１、円板部６４１の周縁から上方及び下方に延びる筒状の筒状部６４２及び円板部６４１の下面から下方に突出し内筒６３と連通する突出部６４３を有している。また、仕切部材６４には、円板部６４１の上面に取り付けられたかご部６５を備えている。
【００３４】
筒状部６４２は、円筒形状を有しており、集塵容器６１の内周面と筒状部６４２の外周面とが略平行に形成される。これにより、気流路の流路面積を略均一にすることができる。
【００３５】
また、筒状部６４２の外周部分にらせん状の凸条を形成しておき、筒状部６４２を回転可能としてもよい。塵埃が大きく、筒状部６４２と集塵容器６１の内周面との間に残留した場合でも、筒状部６４２を回転させることで、凸条で塵埃を下方に送ることができる。これにより、集塵容器６１の内周面と筒状部６４２の外周面との間に塵埃が詰まりにくく、旋回気流の流路が閉塞されにくい。このことから、集塵装置６の集塵機能の低下を抑制することができる。
【００３６】
突出部６４３は集塵容器６１の底部に一体形成された保持軸部６１４の周面に係合している。これにより、仕切部材６４の下方の中心部に立設する断面円形の枠部が形成される。なお、保持軸部６１４の周面の一部にはゴム製（気密性の高いものであれば、ゴムに限定されない）のシールド材（不図示）が設けられている。シールド材により突出部６４３と保持軸部６１４との気密性を確保し、細かい塵埃の流出をより確実に防止することができる。
【００３７】
以上のような構成とすることで、フィルター保持部６２、内筒６３、突出部６４３とは、内部が連通状態となる。これにより、上記除塵機構の駆動によって集塵フィルター６２１から内筒６３内に脱落した細かい塵埃は、突出部６４３の下部に回収される。保持部材６４３が保持軸部６１４とが密接していることで、集塵容器６１内を流れる気流への細かい塵埃の流出が防止される。
【００３８】
上記構成の電気掃除機Ａにおいて、電動送風機の駆動によって吸込口体４から床面の塵埃が吸い込まれ、塵埃を含む気流が延長パイプ３及び接続ホース２を流通する。塵埃を含む気流は接続口１０１及び流入口６１３を介して集塵装置６の集塵容器６１に流入し、集塵容器６１内に旋回気流を形成する。旋回気流の遠心力によって気流に含まれる比較的大きな塵埃が分離され、集塵容器６１の底部に堆積する。
【００３９】
また、集塵容器６１の底部に堆積した塵埃は仕切部材６４の円板部６４１及び筒状部６４２によって集塵容器６１上部への逆流が防止される。そして、大きな塵埃が除去された気流は流出口６３０から内筒６３内部に入り、内筒６３の内部を上昇し、フィルター保持部６２に流入する。このとき、気流に含まれる塵埃は、不図示のメッシュフィルター及び集塵フィルター６２１で捕集される。集塵フィルター６２１を通過した気流は集塵装置排気口６０２を介して集塵装置６から流出する。
【００４０】
また、把持部６０１を引き上げると集塵装置６が電気掃除機Ａの本体１から脱離される。さらに、フィルター保持部６２、内筒６３及び仕切部材６４に対して、集塵容器６１を離脱することで、集塵容器６１の底部に堆積した塵埃を廃棄することができる。このとき、仕切部材６４の突出部６４３の下部に堆積した集塵フィルター６２１の除塵による塵埃も一緒に廃棄される。
【００４１】
次に本発明にかかる電気掃除機の要部であるかご部を有する仕切部材及び内筒について図面を参照して説明する。
【００４２】
（第１実施形態）
図３は内筒と仕切部材とを示す斜視図であり、図４は内筒と仕切部材とを示す分解斜視図であり、図５は仕切部材の断面図であり、図６は内筒の下から見た斜視図であり、図７はかご部を取り外した状態の仕切部材の斜視図である。
【００４３】
図４に示すように、かご部６５は仕切部材６４の平板部６４１の上面に取り付け固定されている。かご部６５は、平板部６４１と固定される下側円環部６５１と、下側円環部６５１の上方に配置された上側円環部６５２と、下側円環部６５１と上側円環部６５２とを連結する支柱部６５３とを備えている。なお、図４等に示すかご部６５は、４本の支柱部６５３が、周方向に等間隔に配置されているが、これに限定されるものではない。
【００４４】
また、図５に示すように、下側円環部６５１は仕切部材６４の平板部６４１に固定されている。下側円環部６５１は、仕切部材６４の中心軸が中心を通過するように平板部６４１に固定されている。そして、支柱部６５３が、仕切部材６４の中心軸と平行となるように配置されている。なお、下側円環部６５１の平板部６４１への固定は、爪と溝による嵌合等、従来よく知られた方法で、通常使用でかご部６５が平板部６４１から脱落しない程度にしっかりと固定される。
【００４５】
また、支柱部６５３は、毛髪、糸くず等の繊維状の塵埃が内筒６３に絡み付くのを防ぐための部材であり、径方向に一定の幅を有しているものが好ましい。
【００４６】
次に内筒６３について説明する。図４に示すように、内筒６３とかご部６５とは、軸方向に着脱可能な構成となっている。図６に示すように、内筒６３は、中央に開口部を有する円板状の底面部６３１と、底面部６３１の上部に形成され全周径方向に延びるフランジ部６３２と、底面部６３１の外周部とフランジ部６３２の内周部とを接続する複数本（ここでは４本）の枠部６３３と、隣り合う枠部６３３の間に配置され、メッシュフィルターを押えるための複数本（ここでは８本）のフィルター押え部６３４とを備えている。
【００４７】
底面部６３１は、仕切部材６４の平面部６４１と接触し、固定される。なお、仕切部材６４の固定は、底面部６３１の下面で、開口部の近傍に形成された係止爪と、平面部６４１に形成された係合部６４５と係合することでなされる。係止部６３５及び係合部６４５に内筒６３と仕切部材６４との係合の詳細については説明する。
【００４８】
フランジ部６３２は、フィルター保持部６２の下面に接触固定される。なお、内筒６３は、フィルター保持部６２に一体的（脱着しないように）固定されていてもよいし、回動可能な状態で支持されていてもよい。集塵容器６１の底部に堆積した塵埃を廃棄するとき、フィルター保持部６２から離脱しないように連結されていればよい。
【００４９】
枠部６３３は、底面部６３１とフランジ部６３２とが一定の間隔を保つように支持する支持部材（枠部材）である。内筒６３において、枠部６３３は４本備えられており、周方向に等間隔で配置される。また、フィルター押え部６３４は、隣り合う枠部６３３の間に２本ずつ、合計８本設けられている。フィルター押え部６３４は、隣り合う枠部６３３の周方向の間隔を３等分するように配置されている。なお、枠部６３３、フィルター押え部６３４の本数は一例であり、これに限定されるものではない。
【００５０】
枠部６３３とフィルター押え部６３４の間又は隣り合うフィルター押え部６３４の間の隙間が、流出口６３０となっている。そして、流出口６３０はメッシュフィルターで覆われており、メッシュフィルターはフィルター押え部６３４に取り付けられている。電動送風機を駆動し、集塵容器６１に空気が流入すると、気流は流出口６３０から内筒６３を介して、フィルター保持部６２に流入する。フィルター押え部６３４を備えていることで、気流によってメッシュフィルターが内筒６３の内部に吸い込まれるのを抑制することができる。
【００５１】
流入口６１３より流入した気流の中に毛髪、糸くず等の繊維状の塵埃が含まれている場合、かご部６５の外周に巻きつく。繊維状の塵埃は、かご部６５に巻きつき、内筒６３には巻き付きにくい。集塵容器６１内に堆積した塵埃を捨てるとき、内筒６３とかご部６５とを分離することで、毛髪、糸くず等の繊維状の塵埃は、廃棄が面倒な内筒６３ではなく、かご部６５に巻き付いている。上述したとおり、かご部６５は４本の支柱部６５３の間の隙間が大きく、巻き付いた繊維状の塵埃をはさみ等の切断具で簡単に切断することができる。また、切断具で周囲の部材を傷つけてしまうことも防ぐことができる。これにより、塵埃の廃棄時における使用者の煩わしさを低減できる。
【００５２】
一方で、メッシュフィルターは多少の変形が可能、すなわち、内筒６３の内部に凹むことができる程度に張った状態で配置されている。例えば、気流が流出口６３０を流れるとき、メッシュフィルターは気流に押され、たわむ。
【００５３】
このような、メッシュフィルターを備えた内筒６３と仕切部材６４とを接続した場合、内筒６３の流出口６３０とかご部６５の支柱部６５３とが、径方向に重なると、支柱部６５３とメッシュフィルターの間に隙間ができやすくなる。この隙間に、毛髪、糸くず等の繊維状の塵埃が流入すると、内筒６３とかご部６５との隙間に毛髪、糸くず等の繊維状の塵埃が挟まり、繊維状の塵埃の一部がメッシュフィルターに絡む。
【００５４】
このように、繊維状の塵埃がメッシュフィルターに絡むと、内筒６３とかご部６５とを分離したとき、繊維状の塵埃は内筒６３及びかご部６５の両方に引っ掛かり、繊維状の塵埃を取り除くのに手間がかかる場合がある。
【００５５】
このような、繊維状の塵埃の引っかかりを抑制するため、集塵装置６では、かご部６５を内筒６３に外嵌させたとき、内筒６３の枠部６３３とかご部６５の支柱部６５３とが径方向に重なるようにしている。枠部６３３及び支柱部６５３は、それぞれ、内筒６３及びかご部６５を支持するための支柱であり、変形しにくい強固な部材である。そして、このような強固な部材が隣り合うように配置することで、内筒６３とかご部６５との間に隙間ができにくく、毛髪、糸くず等が引っかかるのを抑制することができる。
【００５６】
以下に、内筒６３の枠部６３３とかご部６５の支柱部６５３とを径方向に重ねる方法について図面を参照して説明する。図６に示すように、内筒部６３の底面部６３１の下面には、開口を挟んで円弧上に形成された係止部６３５を備えている。係止部６３５は軸方向下方に延びる中心角度が９０°の円弧状の凸部６３６と、凸部の軸方向の先端より内筒６３の径方向外側に突出した爪部６３７とを備えている。また、爪部６３７は扇型形状である。なお、凸部６３６の中心角度は、必ずしも９０°でなくてもよく、９０°以下であればよい。
【００５７】
そして、図７に示すように、仕切部材６４は平板部６４１の上面に、円筒形状のリブ６４４が形成されており、リブ６４４の内周面に係合部６４５が設けられている。係合部６４５は、係止部６３５が係合可能な形状を有しており、係合部６４５の周方向一方の端部（図７に示す仕切部材６４では、平面視時計回り方向の先端側の端部）に爪部６３７が接触するストッパ部６４６が形成されている。なお、係合部６４５の中心角度は９０°以下である。つまり、隣り合う係合部６４５の間の隙間である挿入口６４７の中心角度が９０°以上であればよい。また、係止部６３５と係合部６４５とで連結手段の一例を構成している。
【００５８】
内筒６３と仕切部材６４との連結は次のようにして行われる。内筒６３をかご部６５と同軸となるように配置し、かご部６５が内筒６３を外嵌するように、内筒６３及び（又は）仕切部材６４を軸方向に移動する。内筒６３の底面部６３１が仕切部材６４の平板部６４１に接近したとき、内筒６３の爪部６３７が挿入口６４７と軸方向に重なるように、内筒６３と仕切部材６４と中心軸回りに相対的に回転させる。
【００５９】
この状態で底面部６３１と平板部６４１とを接近させることで、係止部６３５と係合部６４５とが係合可能な位置関係、すなわち、係合部６４５の軸方向の位置が底面部６３１と爪部６３７の間になる。そして、内筒６３を仕切部材６４に対して時計回りに回転することで、爪部６３７と係合部６４５とが軸方向に重なる。そして、爪部６３７がストッパ部６４６に接触することで、内筒６３の回転を制限することができる。
【００６０】
爪部６３７がストッパ部６４６に接触したとき、枠部６３３と支柱部６５３とが径方向に重なるように、内筒６３、仕切部材６４及びかご部６５が形成されている。これにより、内筒６３と仕切部材６４とを係合させることで、枠部６３３と支柱部６５３とを径方向に重ねることができ、繊維状の塵埃が引っかかるのを抑制することができる。
【００６１】
なお、係合部６４５又は爪部６３７の少なくとも一方を、軸と直交する面に対して傾いて形成しておき、内筒６３を仕切部材６４に対して回転させることで、係合部６４５と爪部６３７との接触圧が高くなるようにしてもよい。これにより、内筒６３が仕切部材６４に対して、回転するのを抑制し、枠部６３３と支柱部６５３とが周方向にずれるのを抑制することができる。
【００６２】
以上の構成とすることで、内筒６３と仕切部材６４とを確実に連結することができ、組み立てによる不具合を抑制することができる。また、内筒６３と仕切部材６４を正確に取り付けることで、枠部６３３と支柱部６５３とが径方向に重なる。これにより、集塵装置６を組み立てると、枠部６３３と支柱部６５３とが常に径方向に重なり、毛髪、糸くず等の繊維状の塵埃が気流とともに流入口６１３から流入しても、繊維状の塵埃が内筒６３とかご部６５との間に挟まって取れにくくなるのを抑制することができる。
【００６３】
また、係止部６３５と係合部６４５とが係合することで、（特に、集塵容器６１内に堆積している塵埃を捨てるときに）内筒６３と仕切部材６４とが軸方向にずれるのを抑制することができる。
【００６４】
また、流入口６１３からの気流が内筒６３の流出口６３０に吹き付けられると、毛髪等の細い繊維状の塵埃は、メッシュフィルターに突き刺さる場合がある。この場合、メッシュフィルターから繊維状の塵埃を取り除くのが難しくなる。そのため、流入口６１３は、流入する気流が内筒６３に直接吹き付けないように形成されていることが好ましい。
【００６５】
（第２実施形態）
本発明にかかる電気掃除機に用いられる集塵装置の他の例について図面を参照して説明する。図８は集塵装置に用いられる内筒及び仕切部材の分解斜視図である。図８に示すように、内筒６３は、底面部６３１より下方に延びる筒部６３８を係止部として備えており、筒部６３８の周面には、凹溝６３９が形成されている。また、突出部６４３の内面が係止部として利用され、筒部６３８及び突出部６４３の内面で連結手段の一例を構成している。
【００６６】
内筒６３が仕切部材６４に確実に取り付けられたとき、筒部６３８が突出部６４３の内面と接触しつつ挿入される。突出部６４３の内周面には、内筒６３の仕切部材６４に対する位置が正確な位置になったとき、凹溝６３９と係合するように、凸条６４８が形成されている。
【００６７】
突出部６４３の内周面に形成される凸条６４８は、内筒６３を仕切部材６４に取り付け、枠部６３３と支柱部６４３とが径方向に重なったとき、凹溝６３９と係合する位置に形成されている。このように、凸条６４８及び凹溝６３９を備えることで、凸条６４８と凹溝６３９とが係合するとき、わずかに衝撃がある。
【００６８】
突出部６４３の内周面に筒部６３８の外周面が接触させることで、内筒６３と仕切部材６４、つまり、内筒６３とかご部６５の中心軸を容易に一致させることができる。また、凸条６４８と凹溝６３９とが係合するときの衝撃が発生するまで、内筒６３と仕切部材６４とを相対的に回転させることで、枠部６３３と支柱部６５３とを正確に径方向に重ねることができる。また、凸条６４８と凹溝６３９とが係合することで、（特に、集塵容器６１内に堆積している塵埃を捨てるときに）内筒６３と仕切部材６４とが軸方向にずれるのを抑制することができる。
【００６９】
なお、本実施形態では、突出部６４３の内周面と筒部６３８の外周面とが周方向に摺動可能（断面円形状）としているが、突出部６４３の内周面と筒部６３８の外周面との断面形状が、楕円等の偏平形状としていてもよい。偏平形状とすることで、正しい位置でのみ取り付けが可能となり、取り付け不良の発生を抑制することが可能である。
【００７０】
上記実施形態において、電気掃除機Ａが電動送風機を内装する本体部１に吸込口体４が接続ホース２を介して接続されるキャニスター型に形成されるが、本体部１に吸込口体４を一体に設けた縦型の電気掃除機であってもよい。
【産業上の利用可能性】
【００７１】
本発明によると、サイクロン式の集塵装置を着脱自在に備えた電気掃除機に利用することができる。
【符号の説明】
【００７２】
Ａ  電気掃除機
１  本体部
１０  本体カバー
１０１  接続口
１０２  排気口
１０３  窓部
１１  集塵室
１２  ダクト
２  接続ホース
３  延長パイプ
３１  把持部
４  吸込口体
５  電源コード
５１  電源プラグ
６  集塵装置
６０  カバー部
６０１  把持部
６０２  集塵装置排気口
６１  集塵容器
６１１  上部開口
６１３  流入口
６１４  保持軸部
６２  フィルター保持部
６２１  集塵フィルター
６３  内筒
６３０  流出口
６３１  底面部
６３２  フランジ部
６３３  枠部
６３４  フィルター押え部
６３５  係止部
６３６  凸部
６３７  爪部
６４  仕切部材
６４１  円板部
６４２  筒状部
６４３  突出部
６４４  リブ
６４５  係合部
６４６  ストッパ部
６４７  挿入口
６５  かご部
６５１  下側円環部
６５２  上側円環部
６５３  支柱部
【図１】
2014036683.tif 000003
【図２】
2014036683.tif 000004
【図３】
2014036683.tif 000005
【図４】
2014036683.tif 000006
【図５】
2014036683.tif 000007
【図６】
2014036683.tif 000008
【図７】
2014036683.tif 000009
【図８】
2014036683.tif 000010